(57)【特許請求の範囲】
【請求項１】
少なくとも一つの蓄電素子と、
前記蓄電素子と並んで配置される終端部材と、を備え、
前記終端部材は、前記蓄電素子と対向する第一面と、該第一面と反対側の第二面との少なくとも一方の面に、水平若しくは略水平方向に開口する凹部を有し、
前記凹部は、該凹部の周面全体にわたって設けられた傾斜面を有し、
前記傾斜面は、前記凹部の周方向におけるいずれの部位が下側に位置するように前記終端部材が配置されても、前記凹部の下縁部が、外方に向かって先下りとなる形状を有する、蓄電装置。
【請求項２】
前記凹部は、前記終端部材の第二面に設けられ、
前記終端部材は、該蓄電装置を固定する部材と当接する当接部を有し、
前記当接部は、前記固定する部材が取り付けられたときに、該固定する部材と、前記終端部材における前記凹部の開口縁との間に、隙間が形成される形状を有する、請求項１に記載の蓄電装置。
【請求項３】
前記当接部は、前記凹部の開口縁よりも突出する、請求項２に記載の蓄電装置。
【請求項４】
前記当接部は、前記凹部内から突出する、請求項２又は３に記載の蓄電装置。
【請求項５】
前記凹部は、前記蓄電素子に沿って拡がる起立面を有し、
前記傾斜面は、前記起立面の下縁から延びる、請求項１〜４のいずれか１項に記載の蓄電装置。
【請求項６】
前記終端部材は、金属製である、請求項１〜５のいずれか１項に記載の蓄電装置。
【請求項７】
少なくとも一つの蓄電素子と、
前記蓄電素子と並んで配置される終端部材と、を備え、
前記終端部材は、前記蓄電素子と対向する第一面と、該第一面と反対側の第二面との少なくとも一方の面に開口する凹部を有し、
前記凹部の開口縁部の周方向における全部の領域は、開口方向に向かうに連れて該開口が大きくなる方向に傾く傾斜面である、蓄電装置。
【請求項８】
少なくとも一つの蓄電素子と、
前記蓄電素子と並んで配置される終端部材と、を備え、
前記終端部材は、前記蓄電素子と対向する第一面から、該第一面と反対側の第二面まで貫通する貫通孔を規定する内周面を有し、
前記内周面の周方向における少なくとも一部の領域が、該貫通孔における一方の開口から他方の開口に向かうに連れて該貫通孔が大きくなる方向に傾く傾斜面である、蓄電装置。
【発明の詳細な説明】
【技術分野】
【０００１】
本発明は、蓄電素子を備える蓄電装置に関する。
【背景技術】
【０００２】
従来から、電池セルを備える車両用の電源装置が知られている（特許文献１参照）。具体的に、前記電源装置は、整列する複数の電池セルと、前記複数の電池セルを挟み込む一対のエンドプレートと、を備える。前記一対のエンドプレートのそれぞれには、当該蓄電装置を車両等に固定するための構成、及び該エンドプレートの強度を確保するためのリブ等が形成されることによって、該エンドプレートの表面に凹凸（即ち、凹部と凸部と）が形成される。
【０００３】
エンドプレートの表面に凹部が形成されると、電源装置の使用時等において、エンドプレートの表面で結露等した水が該凹部に溜まる場合がある。
【先行技術文献】
【特許文献】
【０００４】
【特許文献１】特開２０１０−１７０８７０号公報
【発明の概要】
【発明が解決しようとする課題】
【０００５】
そこで、本発明は、終端部材の凹部に水が溜まり難い蓄電装置を提供することを課題とする。
【課題を解決するための手段】
【０００６】
本発明に係る蓄電素子は、
少なくとも一つの蓄電素子と、
前記蓄電素子と並んで配置される終端部材と、を備え、
前記終端部材は、前記蓄電素子と対向する第一面と、該第一面と反対側の第二面との少なくとも一方の面に、水平若しくは略水平方向に開口する凹部を有し、
前記凹部は、該凹部の周面全体にわたって設けられた傾斜面を有し、
前記傾斜面は、前記凹部の周方向におけるいずれの部位が下側に位置するように前記終端部材が配置されても、前記凹部の下縁部が、外方に向かって先下りとなる形状を有する。
【０００７】
かかる構成によれば、凹部内で結露した水、及び終端部材の他の部位（凹部を除いた部位）で結露して凹部に入った水は、該凹部の下縁部から傾斜面によって外方に排出されるため、該凹部内に溜まり難い。
【０００８】
前記蓄電装置では、
前記凹部は、前記終端部材の第二面に設けられ、
前記終端部材は、該蓄電装置を固定する部材と当接する当接部を有し、
前記当接部は、前記固定する部材が取り付けられたときに、該固定する部材と、前記終端部材における前記凹部の開口縁との間に、隙間が形成される形状を有することが好ましい。
【０００９】
かかる構成によれば、蓄電装置に前記固定する部材が取り付けられて当接部が固定する部材と当接しても、凹部の開口縁と固定する部材との間に隙間が形成されるため、凹部内の水（結露等のよって生じた水）が凹部に閉じ込められずに前記隙間から凹部の外方に排出される。
【００１０】
この場合、例えば具体的には、
前記当接部は、前記凹部の開口縁よりも突出してもよい。
【００１１】
かかる構成によれば、前記開口縁よりも突出した部位を設けるといった簡素な構成によって、蓄電装置に前記固定する部材が取り付けられたときに、凹部の開口縁と固定する部材との間に、開口縁からの当接部の突出量に応じた隙間を形成することができる。これにより、凹部内の水（結露等のよって生じた水）が凹部に閉じ込められずに前記隙間から凹部の外方に排出される。
【００１２】
前記当接部は、前記凹部内から突出してもよい。
【００１３】
このように、当接部が凹部内から突出することで、終端部材において凹部の外側に該当接部を設けるためのスペースを確保しなくてもよく、これにより、終端部材の小型化を図ることができる。
【００１４】
前記凹部は、前記蓄電素子に沿って拡がる起立面を有し、
前記傾斜面は、前記起立面の下縁から延びていてもよい。
【００１５】
かかる構成によれば、凹部内において結露等によって生じた水は、起立面を伝って該起立面の下縁、即ち、凹部の下縁部まで流れ易い。このため、凹部内において結露等によって生じた水をより確実に排水することができる。
【００１６】
また、本発明に係る蓄電素子は、
少なくとも一つの蓄電素子と、
前記蓄電素子と並んで配置される終端部材と、を備え、
前記終端部材は、前記蓄電素子と対向する第一面と、該第一面と反対側の第二面との少なくとも一方の面に開口する凹部を有し、
前記凹部の開口縁部の周方向における全部の領域は、開口方向に向かうに連れて該開口が大きくなる方向に傾く傾斜面であってもよい。
【００１７】
かかる構成によれば、凹部の開口方向が水平若しくは略水平方向となり、且つ前記傾斜面となる領域が下部になるような姿勢で蓄電装置を配置することにより、凹部内で結露した水、及び終端部材の他の部位（凹部を除いた部位）で結露して凹部に入った水が、該凹部の下部の傾斜面を伝って凹部から排出されるため、該凹部内に溜まり難くなる。
【００１８】
また、本発明に係る蓄電素子は、
少なくとも一つの蓄電素子と、
前記蓄電素子と並んで配置される終端部材と、を備え、
前記終端部材は、前記蓄電素子と対向する第一面から、該第一面と反対側の第二面まで貫通する貫通孔を規定する内周面を有し、
前記内周面の周方向における少なくとも一部の領域が、該貫通孔における一方の開口から他方の開口に向かうに連れて該貫通孔が大きくなる方向に傾く傾斜面であってもよい。
【００１９】
かかる構成によれば、貫通方向が水平若しくは略水平方向となり、且つ内周面における前記傾斜面となる領域が下部になるような姿勢で蓄電装置を配置することにより、内周面において結露した水が、該内周面の下部の傾斜面を伝って貫通孔から排出されるため、該貫通孔内（内周面）に留まり難くなる。
【発明の効果】
【００２０】
以上より、本発明によれば、終端部材の凹部に水が溜まり難い蓄電装置を提供することができる。
【図面の簡単な説明】
【００２１】
【図１】図１は、本発明の一実施形態に係る蓄電装置の斜視図である。
【図２】図２は、前記蓄電装置の構成を一部省略した状態の分解斜視図である。
【図３】図３は、前記蓄電装置の構成を一部省略した状態の分解斜視図である。
【図４】図４は、前記蓄電装置における蓄電素子の斜視図である。
【図５】図５は、前記蓄電素子の正面図である。
【図６】図６は、前記蓄電素子における終端部材の斜視図である。
【図７】図７は、前記終端部材の斜視図である。
【図８】図８は、前記蓄電装置の一部の断面図である。
【図９】図９は、前記蓄電装置と電池パックとの接続状態を説明するための図である。
【図１０】図１０は、凹部から排出される水の流れを説明するための図である。
【図１１】図１１は、他実施形態に係る終端部材の一部の断面図である。
【図１２】図１２は、他実施形態に係る終端部材の一部の断面図である。
【図１３】図１３は、他実施形態に係る終端部材を説明するための断面図である。
【発明を実施するための形態】
【００２２】
以下、本発明の一実施形態について、図１〜図９を参照しつつ説明する。尚、本実施形態の各構成部材（各構成要素）の名称は、本実施形態におけるものであり、背景技術における各構成部材（各構成要素）の名称と異なる場合がある。
【００２３】
蓄電装置は、図１〜図３に示すように、蓄電素子１と、蓄電素子１と並んで配置される終端部材３０と、を備える。具体的に、蓄電装置は、蓄電素子１と、該蓄電素子１に隣り合うスペーサ２と、蓄電素子１を保持する保持部材３とを備える。保持部材３は、導電材料により成形される。これに伴い、蓄電装置は、蓄電素子１と保持部材３との間に配置されるインシュレータ４を備える。
【００２４】
蓄電素子１は、図４及び図５に示すように、正極及び負極を含む電極体と、電極体を収容するケース１０と、ケース１０の外面上に配置された一対の外部端子１１とを備える。
【００２５】
ケース１０は、開口を有するケース本体１００と、ケース本体１００の開口を閉じる蓋板１０１であって、外面上に一対の外部端子１１が配置される蓋板１０１とを有する。
【００２６】
ケース本体１００は、閉塞部１００ａと（図５参照）、該閉塞部１００ａを取り囲むように、該閉塞部１００ａの周縁に接続された筒状の胴部１００ｂとを備える。
【００２７】
胴部１００ｂは、間隔をあけて互いに対向する一対の第一壁１００ｃと、一対の第一壁１００ｃを挟んで互いに対向する一対の第二壁１００ｄとを備える。
【００２８】
第一壁１００ｃ及び第二壁１００ｄのそれぞれは、矩形状である。即ち、第一壁１００ｃ及び第二壁１００ｄのそれぞれの表面は、四角形状の平坦面である。第一壁１００ｃ及び第二壁１００ｄは、互いの端縁を突き合わせた状態で配置される。この隣り合う第一壁１００ｃ及び第二壁１００ｄの端縁同士は、全長に亘って接続される。これにより、胴部１００ｂは、角筒状に形成される。胴部１００ｂの一端は、板状の閉塞部１００ａによって閉塞されている。これに対し、胴部１００ｂの他端は、開口している。この胴部１００ｂの他端の開口は、蓋板１０１によって閉塞される。
【００２９】
本実施形態の蓄電素子１では、第一壁１００ｃの表面積が、第二壁１００ｄの表面積よりも広い。このため、胴部１００ｂは、扁平な角筒状である。
【００３０】
本実施形態に係る蓄電装置は、図１に示すように、複数の蓄電素子１を備える。複数の蓄電素子１のそれぞれは、一方向に整列する。複数の蓄電素子１のそれぞれは、ケース１０の第一壁１００ｃを一方向に向けて整列している。蓄電装置は、隣り合う二つの蓄電素子１の外部端子１１同士を電気的に接続するバスバー（図示しない）を備える。尚、以下の説明において、便宜上、蓄電素子１の整列する方向（第一方向）をＸ軸方向という。また、三軸が互いに直交する座標系（直交座標系）において、蓄電素子１の整列する方向（Ｘ軸方向）と直交する二方向のうちの一つ方向（第二方向）をＹ軸方向といい、残りの一つの方向（第三方向）をＺ軸方向ということとする。これに伴い、各図面には、Ｘ軸方向、Ｙ軸方向、及びＺ軸方向のそれぞれに対応する直交三軸（座標軸）が補助的に図示されている。
【００３１】
スペーサ２は、絶縁性を有する。スペーサ２は、蓄電素子１のケース１０（詳しくは、胴部１００ｂの第一壁１００ｃ）と隣り合うベースと、該ベースに隣り合う蓄電素子１の位置ずれを防止する規制部とを有する。
【００３２】
より具体的に説明する。蓄電装置は、上述のように、複数の蓄電素子１を備える。これに伴い、蓄電装置は、図２及び図３に示すように、二種類のスペーサ２（２Ａ，２Ｂ）を備える。即ち、蓄電装置は、二つの蓄電素子１間に配置されるスペーサ（以下、内部スペーサという。）２Ａと、複数の蓄電素子１のうちの最も端にある蓄電素子１に隣り合うスペーサ（以下、外部スペーサという。）２Ｂとを備える。
【００３３】
内部スペーサ２Ａは、蓄電素子１（詳しくは、ケース本体１００の第一壁１００ｃ）に隣り合うベース２０Ａと、該ベース２０Ａに隣り合う二つの蓄電素子１の位置ずれを防止する規制部２１Ａとを有する。内部スペーサ２Ａは、ベース２０Ａから突出した弁カバー部２２Ａであって、蓄電素子１の蓋板１０１（詳しくは、ガス排出弁１０１ａ）上に配置される弁カバー部２２Ａを有する。
【００３４】
内部スペーサ２Ａのベース２０Ａは、二つの蓄電素子１に挟み込まれる。この内部スペーサ２Ａのベース２０Ａは、二つの蓄電素子１のうちの一方の蓄電素子１と対向する第一面と、該第一面とは反対側の第二面であって、二つの蓄電素子１のうちの他方の蓄電素子１と対向する第二面とを有する。本実施形態における内部スペーサ２Ａのベース２０Ａは、略矩形状の板状の部位である。この内部スペーサ２Ａのベース２０Ａは、蓄電素子１の第一壁１００ｃと略同等の大きさである。
【００３５】
本実施形態に係る蓄電装置において、内部スペーサ２Ａのベース２０Ａの第一面と蓄電素子１との間、及び内部スペーサ２Ａのベース２０Ａの第二面と蓄電素子１との間の少なくとも何れか一方には、流体（冷却用の流体）を通過させるための通風路が形成される。
【００３６】
本実施形態の内部スペーサ２Ａのベース２０Ａにおける断面は、矩形波形状である。より具体的に説明する。内部スペーサ２Ａのベース２０Ａは、隣り合う二つの蓄電素子１のうちの一方の蓄電素子１のみに当接する第一当接部２００Ａと、隣り合う二つの蓄電素子１のうちの他方の蓄電素子１のみに当接する第二当接部２００Ｂとを有する。また、内部スペーサ２Ａのベース２０Ａは、第一当接部２００Ａと第二当接部２００Ｂとを繋げる連接部２００Ｃを有する。第一当接部２００Ａは、Ｙ軸方向に長い。また、第二当接部２００Ｂも、Ｙ軸方向に長い。
【００３７】
内部スペーサ２Ａのベース２０Ａは、複数の第一当接部２００Ａと、複数の第二当接部２００Ｂとを有する。各第一当接部２００Ａと各第二当接部２００Ｂとは、Ｚ軸方向において交互に配置される。
【００３８】
これにより、蓄電装置では、第一当接部２００Ａにおける蓄電素子１と当接する面とは反対側の面と、第一当接部２００Ａに繋がる一対の連接部２００Ｃとによって、通風路が形成される。また、蓄電装置では、第二当接部２００Ｂにおける蓄電素子１と当接する面とは反対側の面と、第二当接部２００Ｂに繋がる一対の連接部２００Ｃとによって、通風路が形成される。このように、蓄電装置では、内部スペーサ２Ａのベース２０Ａの第一面と蓄電素子１との間、及び内部スペーサ２Ａのベース２０Ａの第二面と蓄電素子１との間のそれぞれに、通風路が形成される。
【００３９】
規制部２１Ａは、内部スペーサ２Ａと隣り合う二つの蓄電素子１の相対移動を規制する。具体的に、規制部２１Ａは、内部スペーサ２Ａのベース２０Ａの第一面に隣り合う蓄電素子１と、内部スペーサ２Ａのベース２０Ａの第二面に隣り合う蓄電素子１とに向かってベース２０Ａから延びる。
【００４０】
外部スペーサ２Ｂは、蓄電素子１（ケース本体１００の第一壁１００ｃ）に対向する第一面及び該第一面とは反対側の第二面を有するベース（以下、ベースという）２０Ｂと、該ベース２０Ｂに隣り合う蓄電素子１の位置を決定する規制部（以下、規制部という）２１Ｂとを有する。
【００４１】
図２に示すように、外部スペーサ２Ｂのベース２０Ｂと、保持部材３の後述する終端部材３０とが対向する。即ち、外部スペーサ２Ｂは、Ｘ軸方向に整列する複数の蓄電素子１のうちの最も外側の蓄電素子１と、終端部材３０との間に配置される。外部スペーサ２Ｂは、図３に示すように、ベース２０Ｂに対する終端部材３０の位置を決定するための嵌合部２３Ｂであって、ベース２０Ｂの第二面に形成される嵌合部２３Ｂを有する。また、外部スペーサ２Ｂは、ベース２０Ｂに対する終端部材３０の位置ずれを防ぐための位置決部２２Ｂであって、ベース２０Ｂの第二面から突出した位置決部２２Ｂを有する。
【００４２】
外部スペーサ２Ｂは、ベース２０Ｂから終端部材３０に向けて突出する第一突出部２４Ｂであって、終端部材３０に当接する第一突出部（以下、外部接触部という）２４Ｂを有する。本実施形態の外部スペーサ２Ｂは、ベース２０Ｂから蓄電素子１に向けて突出する第二突出部２０１Ｂであって、該蓄電素子１に当接する第二突出部（以下、内部接触部という）２０１Ｂも、有する。
【００４３】
外部スペーサ２Ｂのベース２０Ｂは、Ｙ−Ｚ平面（Ｙ軸方向とＺ軸方向とを含む平面）方向に拡がっている。即ち、ベース２０Ｂは、板状の部位である。外部スペーサ２Ｂのベース２０Ｂは、略矩形状である。この外部スペーサ２Ｂのベース２０Ｂは、蓄電素子１の第一壁１００ｃと略同等の大きさである。
【００４４】
本実施形態において、外部接触部２４Ｂは、Ｙ軸方向に延びる突条である。外部接触部２４Ｂは、複数設けられる。複数の外部接触部２４Ｂのそれぞれは、Ｚ軸方向に間隔をおいて互いに平行に配置される。
【００４５】
本実施形態の終端部材３０において、連結部材３１の固定部３１３が、該終端部材３０の四隅のそれぞれに連結される。そして、複数の外部接触部２４Ｂは、ベース２０Ｂの略全域を対象に配置される。
【００４６】
本実施形態において、外部スペーサ２Ｂのベース２０Ｂの第一面と蓄電素子１との間には、流体を通過させるための通風路が形成される。
【００４７】
より具体的に説明する。外部スペーサ２Ｂは、上述のように、ベース２０から蓄電素子１に向けて突出する内部接触部２０１Ｂであって、該蓄電素子１に当接する内部接触部２０１Ｂを有する。即ち、外部スペーサ２Ｂは、ベース２０Ｂの第一面から蓄電素子１のケース１０（詳しくは、ケース本体１００の第一壁１００ｃ）に向かって延びる内部接触部２０１Ｂを有する。
【００４８】
内部接触部２０１Ｂは、Ｙ軸方向に長い。本実施形態に係る外部スペーサ２Ｂは、複数の内部接触部２０１Ｂを有する。複数の内部接触部２０１Ｂのそれぞれは、Ｚ軸方向（長手方向と直交する方向）に互いに間隔をあけて配置される。これにより、外部スペーサ２Ｂのベース２０Ｂと蓄電素子１との間に、複数の通風路（採番しない）が形成される。
【００４９】
内部接触部２０１Ｂのそれぞれは、外部接触部２４ＢとＸ軸方向に重なる位置に配置されている。本実施形態の内部接触部２０１Ｂは、該内部接触部２０１Ｂと対応する（即ち、内部接触部２０１ＢとＸ軸方向に重なる）外部接触部２４Ｂのそれぞれと同方向に延びる突条である。
【００５０】
複数の内部接触部２０１Ｂは、蓄電素子１と外部スペーサ２Ｂのベース２０Ｂとの間隔を一定に保ち、ベース２０Ｂと蓄電素子１との間にＹ軸方向に貫通した複数の通風路（採番しない）を形成する。
【００５１】
外部接触部２４Ｂの突出方向（Ｘ軸方向）の長さは、内部接触部２０１Ｂの突出方向（Ｘ軸方向）の長さより短い。即ち、内部接触部２０１Ｂのベース２０Ｂからの突出長さは、外部接触部２４Ｂのベース２０Ｂからの突出長さよりも長い。
【００５２】
外部スペーサ２Ｂの規制部２１Ｂは、外部スペーサ２Ｂの第一面に隣り合う蓄電素子１の相対移動を規制すべく、前記蓄電素子１に向かって延びる。
【００５３】
位置決部２２Ｂは、ベース２０Ｂの外周端部から延出する複数の片によって形成される。
【００５４】
位置決部２２Ｂ（複数の片）は、終端部材３０を包囲することにより、外部スペーサ２Ｂに対して終端部材３０を位置決めする。
【００５５】
嵌合部２３Ｂは、ベース２０Ｂから終端部材３０に向けて突出している。より具体的に説明する。本実施形態において、嵌合部２３Ｂは、軸状に形成され、ベース２０Ｂの第二面から突出している。嵌合部２３Ｂは、終端部材３０の被嵌合部に嵌入可能に形成される。嵌合部２３Ｂは、先端から基端（ベース２０Ｂ）に向けて穿設されたネジ穴（採番しない）を有する。
【００５６】
上述のように、外部接触部２４Ｂは、ベース２０Ｂから終端部材３０に向けて突出し、終端部材３０に当接している。そのため、蓄電装置では、外部スペーサ２Ｂと、終端部材３０との間に隙間が形成されている。
【００５７】
本実施形態に係る外部スペーサ２Ｂは、蓄電素子１を介して内部スペーサと隣り合うように配置される。外部スペーサ２Ｂは、複数の蓄電素子１のうちの最も端にある蓄電素子１に隣り合う。即ち、外部スペーサ２Ｂは、整列する複数の蓄電素子１を挟み込むように一対設けられる。
【００５８】
一対の外部スペーサ２Ｂのそれぞれの第一面は、上述のように、蓄電素子１のケース本体１００と対向する。そのため、一対の外部スペーサ２Ｂのそれぞれは、互いのベース２０Ｂの第一面同士が向かい合うように配置されている。従って、蓄電装置において、一対の外部スペーサ２Ｂのそれぞれは、複数の蓄電素子１が整列する方向（Ｘ軸方向）において互いに対称となるように配置されている。
【００５９】
保持部材３は、蓄電素子１と並んで配置される終端部材３０を有する。本実施形態の保持部材３は、図１に示すように、複数の蓄電素子１と複数のスペーサ２をひとまとめに保持する（挟み込む）一対の終端部材３０を有する。即ち、保持部材３は、各外部スペーサ２Ｂと隣り合う位置のそれぞれに配置される一対の終端部材３０を有する。また、保持部材３は、一対の終端部材３０を互いに接続（連結）する連結部材３１を備える。この保持部材３は、金属製である。
【００６０】
一対の終端部材３０のそれぞれは、外部スペーサ２Ｂと対向する第一面と、該第一面とは反対側の第二面とを有する。一対の終端部材３０のそれぞれは、図１，図６〜図８に示すように、第二面において、Ｘ軸方向（図１では水平若しくは略水平方向）に開口する凹部３００を有する。また、本実施形態の終端部材３０は、蓄電装置を収容するケース（図示しない）と当接する当接部３０５を有する。本実施形態の終端部材３０は、金属板を成形することによって形成される。即ち、終端部材３０は、金属板の成形品である。この終端部材３０は、Ｘ軸方向視において、蓄電素子１と対応する形状（輪郭形状）を有する。
【００６１】
凹部３００は、終端部材３０において、蓄電素子１の第一壁１００ｃの中央部（詳しくは、周縁部を除いた領域）と対応する位置に設けられる。そして、凹部３００は、外部スペーサ２Ｂの外部接触部２４Ｂに当接し、外部スペーサ２Ｂを介して蓄電素子１の第一壁１００ｃを押圧する。この凹部３００は、下縁部に、外方（Ｘ軸方向における蓄電素子１側と反対の側）に向かって先下りの傾斜面を有する。この傾斜面は、後述する周面３０２ａに含まれる。具体的に、凹部３００は、蓄電素子１（詳しくは、ケース本体１００の第一壁１００ｃ）に沿って拡がる起立面３０１ａを有する押圧部３０１と、押圧部３０１の周縁から起立面３０１ａと交差する方向であって蓄電素子１から離れる方向に延びる周縁部３０２と、を有する（図８参照）。
【００６２】
押圧部３０１は、蓄電素子１と反対の側に起立面３０１ａを有する平板状の部位であり、挿入穴３００ａを有する。挿入穴３００ａは、嵌合部２３Ｂのネジ穴に螺合される雄ネジを挿通するための穴である。起立面３０１ａは、Ｙ−Ｚ平面（Ｙ軸方向とＺ軸方向とが含まれる面）方向に拡がる平面（平坦面）であり、終端部材３０の第二面に含まれる。本実施形態の起立面３０１ａは、垂直若しくは略垂直な面である。
【００６３】
周縁部３０２は、押圧部３０１の周縁から、該押圧部３０１に対して傾斜した状態で延びる部位であり、内側に周面３０２ａを有する。この周面３０２ａは、テーパ状の面である。具体的に、周面３０２ａは、起立面３０１ａから離れるに従って、Ｙ−Ｚ平面方向において押圧部３０１から離れるように傾斜する傾斜面である。即ち、周面３０２ａは、凹部３００の下縁部では、外方に向かって先下りの傾斜面であり、凹部３００の上縁部では、外方に向かって先上がりの傾斜面である。また、周面３０２ａは、凹部３００の両側の側縁部では、外方に向かうほど互いに離れる傾斜面である。
【００６４】
以上のような押圧部３０１と周縁部３０２とによって、終端部材３０において、蓄電素子１に向かって凹んだ凹部３００が形成される。本実施形態の終端部材３０が、金属板の成形品であるため、凹部３００は、第一面側から見ると、蓄電素子１に向かって膨出している。このため、蓄電装置では、Ｘ軸方向に並ぶ複数の蓄電素子１（蓄電素子群）が、Ｘ軸方向の両外側から押圧部３０１によって押圧される（挟持される）。これにより、蓄電装置において蓄電素子１が強固に固定される。即ち、蓄電装置において、蓄電素子１同士の相対移動が効果的に抑えられる。これは、第一壁１００ｃにおける周縁部を除いた部位（領域）が、ケース１０において、蓄電素子１の充放電時に膨張し易い部位であり、この領域が押圧されることにより、整列する複数の蓄電素子１が強固に且つ効果的に固定されるためである。
【００６５】
当接部３０５は、凹部３００の開口縁（凹部３００の開口を規定する部位であり、周縁部３０２における押圧部３０１と反対の側の端縁）よりもＸ軸方向において突出する。本実施形態の当接部３０５は、突出方向の先端に、Ｙ−Ｚ平面方向に拡がる当接面３０６を有する。この当接面３０６は、Ｘ軸方向において、凹部３００の開口縁より突出している。
【００６６】
当接部３０５は、当接面３０６の中央部に貫通穴３０６ａを有する。この貫通穴３０６ａは、例えば、複数の蓄電装置を連結して固定するための連結板５００と、蓄電装置と、を固定するネジが挿通される。具体的には、図９に示すように、連結板５００に設けられた当接面５０２に当接部３０５の当接面３０６が当接するように、蓄電装置が連結板５００に固定される。このとき、Ｘ軸方向に重なった状態の前記当接面５０２に設けられた貫通穴５０４と当接部３０５の貫通穴３０６ａとにボルト３０７が挿通され、該ボルト３０７にナット３０８が螺合される。連結板５００には、該蓄電装置に隣り合って配置される他の蓄電装置も固定される。これにより、複数の蓄電装置が連結板５００によって連結される。連結された複数の蓄電装置は、電池パックの内部において該電池パック５００に締結される。
【００６７】
本実施形態の終端部材３０は、複数（本実施形態の例では二つ）の当接部３０５を有する。図６に示すように、各当接部３０５は、凹部３００内から突出している。一方の当接部３０５は、一部が周縁部３０２に連接された状態で起立面３０１ａから突出している。他方の当接部３０５は、周縁部３０２と離れた状態で起立面３０１ａから突出している。
【００６８】
連結部材３１は、蓄電素子１に対してＸ軸方向（蓄電素子１と終端部材３０とが並ぶ方向）に沿って配置される。連結部材３１は、終端部材３０と連結される固定部３１３を有する。
【００６９】
連結部材３１は、一対の終端部材３０間に亘って延びる一対の第一接続部３１０及び第二接続部３１１を有する。本実施形態の連結部材３１は、一対の第一接続部３１０と、一対の第二接続部３１１と、を有する。第一接続部３１０は、一対の終端部材３０間において、蓄電素子１の蓋板１０１と対応する位置に配置される。また、第二接続部３１１は、一対の終端部材３０間において、蓄電素子１の閉塞部１００ａと対応する位置に配置される。これにより、本実施形態では、一対の第一接続部３１０及び一対の第二接続部３１１によって、一対の終端部材３０の四隅が互いに連結されている。
【００７０】
一対の第一接続部３１０のそれぞれは、Ｘ軸方向（長手をなす方向）の一方の端部である第一端と、該第一端とは反対側の端部である第二端と、を有する。また、一対の第二接続部３１１のそれぞれは、Ｘ軸方向（長手をなす方向）の一方の端部である第一端と、該第一端とは反対側の端部である第二端と、を有する。第一接続部３１０の一端及び他端には、固定部３１３ａがそれぞれ設けられている。また、第二接続部３１１の一端及び他端には、固定部３１３ｂがそれぞれ設けられている。
【００７１】
各固定部３１３ａ，３１３ｂは、終端部材３０に対し、Ｘ軸方向の外方から重ね合わせ可能である。より具体的に説明する。固定部３１３ａ，３１３ｂは、各接続部３１０，３１１の第一端及び第二端から延び且つ終端部材３０の外面（第二面）に沿った板状の部位である。各固定部３１３ａ，３１３ｂは、終端部材３０の外面における貫通穴３００ｂ周りの部分と対向する。そして、固定部３１３ａ，３１３ｂのそれぞれには、貫通穴３００ｂと対応する位置に第一穴部３１３ｃ，３１３ｄが形成されている。
【００７２】
以上のように構成される第一接続部３１０及び第二接続部３１１は、終端部材３０の貫通穴３００ｂと、固定部３１３ａ，３１３ｂの第一穴部３１３ｃ，３１３ｄとに挿通したボルトにナットを螺合させることにより、終端部材３０に連結される。これにより、一対の終端部材３０の四隅同士が第一及び第二接続部３１０，３１１によって接続される。即ち、本実施形態では、一つの終端部材３０に対する連結部材３１の連結部位が四箇所ある。
【００７３】
インシュレータ４は、絶縁性を有する材料で構成されている。そして、インシュレータ４は、一対の第一接続部３１０のそれぞれと、蓄電素子１との間に配置される一対の第一絶縁部４０と、一対の第二接続部３１１のそれぞれと蓄電素子１との間に配置される一対の第二絶縁部４１とを有する。
【００７４】
以上の蓄電装置によれば、凹部３００内で結露した水、及び終端部材３０の他の部位（凹部を除いた部位）で結露して凹部に入った水は、該凹部３００の下縁部から傾斜面（周面３０２ａにおける下側の部位）によって外方に排出されるため、該凹部３００内に溜まり難い。
【００７５】
本実施形態の蓄電装置では、当接部３０５が凹部３００の開口縁よりも突出している。このため、図９に示すように、蓄電装置が電池パック（ケース）に収容されて当接部３０５が電池パックと当接したときに、凹部３００の開口縁と電池パックの内面との間に隙間が形成されるため、図１０に示すように、凹部３００内の水（結露等のよって生じた水）Ｗが凹部３００に閉じ込められずに前記隙間から凹部の外方に排出される。尚、本実施形態の電池パックでは、当接面５０２が周囲の面に対して蓄電装置側（終端部材３０の当接部３０５側）に突出しているが、当接面５０２と前記周囲の面とが共通の平面を構成していてもよい。この場合でも、終端部材３０の当接部３０５が凹部３００の開口縁より突出しているため、凹部３００の開口縁と電池パック５００の内面との間に前記隙間（水を排出可能な隙間、即ち、前記開口縁からの当接部３０５の突出量に応じた隙間）が形成される。
【００７６】
本実施形態の蓄電装置では、当接部３０５が凹部３００内から突出しているため、終端部材３０において凹部３００の外側（Ｙ−Ｚ平面方向における凹部３００の外側）に該当接部３０５を設けるためのスペースを確保しなくてもよい。これにより、終端部材３０の小型化を図ることができる。
【００７７】
本実施形態の蓄電装置では、凹部３００が起立面３０１ａと、起立面３０１ａの下縁から延びる傾斜面（周面３０２ａに含まれる面）を有しているため、凹部３００内において結露等によって生じた水は、起立面３０１ａを伝って該起立面３０１ａの下縁、即ち、凹部３００の下縁部まで流れ易い。このため、凹部３００内において結露等によって生じた水をより確実に排水することができる。
【００７８】
尚、本発明は、上記実施形態に限定されるものではなく、本発明の要旨を逸脱しない範囲において種々変更を行うことは勿論である。
【００７９】
凹部３００の下縁部に設けられる傾斜面の具体的な構成は、限定されない。例えば、図１１及び図１２に示すように、前記傾斜面は、水平方向に対して一定角度の平面によって構成されてもよく、外方ほど水平方向に対して傾斜が大きくなる曲面等であってもよい。また、前記傾斜面は、平面と曲面とを組み合わせた形状でもよい。即ち、前記傾斜面は、凹部３００内の水が該凹部３００の下縁部に集まったときに、この水が開口（凹部３００の開口）から外方に排出され易い形状の傾斜面であればよい。
【００８０】
上記実施形態の終端部材３０は、二つの当接部３０５を有しているが、この構成に限定されない。例えば、終端部材３０は、一つの当接部３０５を有していてもよく、三つ以上の当接部３０５を有していてもよい。
【００８１】
上記実施形態の終端部材３０では、第二面から第一面側に窪んだ凹部（外方に向かって先下がりの傾斜面を下縁部に有する凹部）３００が設けられているが、この構成に限定されない。終端部材３０の第一面から第二面側に窪んだ凹部３００が設けられてもよい。また、終端部材３０の両面（第一面及び第二面）のそれぞれに、凹部３００が設けられてもよい。凹部３００が、下縁部に、外方に向かって先下がりの傾斜面を有していれば、第一面及び第二面のいずれの面に形成されても、凹部３００内で結露した水、及び終端部材３０の凹部３００を除いた部位で結露して凹部３００に流れ込んだ水は、該凹部３００の下縁部から傾斜面によって外方に排出されるため、該凹部３００内に溜まり難い。
【００８２】
また、終端部材３０において、外方に向かって先下がりの傾斜面が設けられる部位は、第一面又は第二面に設けられる凹部に限定されない。例えば、図１３に示すように、終端部材３０に第一面から第二面に貫通する貫通孔３５０が設けられ、この貫通孔３５０を規定する内周面３５１の少なくとも下部領域が、第一面から第二面に向けて先下がりの傾斜面であってもよい。即ち、終端部材３０において、貫通孔３５０を規定する内周面３５１の周方向における少なくとも一部の領域が、該貫通孔における一方の開口（例えば第一面側の開口）から他方の開口（例えば第二面側の開口）に向かうに連れて該貫通孔３５０が大きくなる方向に傾く傾斜面であってもよい。かかる構成によっても、貫通方向が水平若しくは略水平方向となり、且つ内周面３５１における前記傾斜面となる領域が下部になるような姿勢で蓄電装置を配置することにより、内周面３５１において結露した水が、該内周面３５１の下部の傾斜面を伝って貫通孔３５０から排出されるため、該貫通孔３５０内（内周面３５１）に留まり難くなる。
【００８３】
上記実施形態の終端部材３０は、金属板の成形品であるが、この構成に限定されない。終端部材３０は、板厚の大きな部材によって形成されてもよい。この場合でも、終端部材３０に設けられた凹部３００が、下縁部に、外方に向けて先下りの傾斜面を有していれば、終端部材３０の表面で結露した水が、凹部３００内に溜まり難い。
【００８４】
上記実施形態の凹部３００は、垂直な面である起立面３０１ａを有しているが、この構成に限定されない。例えば、凹部３００において、内側の面が湾曲面のみによって構成されてもよい。
【００８５】
上記実施形態の終端部材３０は、一つの凹部３００を有しているが、複数の凹部３００を有していてもよい。
【符号の説明】
【００８６】
１…蓄電素子、２…スペーサ、２０…ベース、２Ａ…内部スペーサ、２０Ａ…ベース、２００Ａ…第一当接部、２００Ｂ…第二当接部、２００Ｃ…連接部、２１Ａ…規制部、２２Ａ…弁カバー部、２Ｂ…外部スペーサ、２０Ｂ…ベース、２０１Ｂ…内部接触部（第二突出部）、２１Ｂ…規制部、２２Ｂ…位置決部、２３Ｂ…嵌合部、２４Ｂ…外部接触部（第一突出部）、３…保持部材、３０…終端部材、３００…凹部、３００ａ…挿入穴、３００ｂ…貫通穴、３０１…押圧部、３０１ａ…起立面、３０２…周縁部、３０２ａ…周面、３０５…当接部、３０６…当接面、３０６ａ…貫通穴、３０７…ボルト、３０８…ナット、３１…連結部材、３１０…第一接続部、３１１…第二接続部、３１３，３１３ａ，３１３ｂ…固定部、３１３ｃ，３１３ｄ…第一穴部、４…インシュレータ、４０…第一絶縁部、４１…第二絶縁部、１０…ケース、１００…ケース本体、１００ａ…閉塞部、１００ｂ…胴部、１００ｃ…第一壁、１００ｄ…第二壁、１０１…蓋板、１０１ａ…ガス排出弁、１１…外部端子、５００…電池パック、５０２…当接面、５０４…貫通穴
【図１】
0006363417.tif 000002
【図２】
0006363417.tif 000003
【図３】
0006363417.tif 000004
【図４】
0006363417.tif 000005
【図５】
0006363417.tif 000006
【図６】
0006363417.tif 000007
【図７】
0006363417.tif 000008
【図８】
0006363417.tif 000009
【図９】
0006363417.tif 000010
【図１０】
0006363417.tif 000011
【図１１】
0006363417.tif 000012
【図１２】
0006363417.tif 000013
【図１３】
0006363417.tif 000014